【事件の表示】
　上記当事者間の登録第４３２６９００号商標の登録取消審判事件について、次のとおり審決する。
【結　論】
　本件審判の請求は、成り立たない。
　審判費用は、請求人の負担とする。
【理　由】
第１　本件商標     
　本件登録第４３２６９０１号商標（以下「本件商標」という。）は、別掲に表示した構成よりなり、平成１０年２月１９日に登録出願、第９類「温度計，圧力計，液面計，湿度計，熱量計，粘度計，濃度計，密度計，流量計，ガス分析計，自動調節機械器具，配電用又は制御用の機械器具，検出器，有線通信機械器具，放送用機械器具，無線通信機械器具，遠隔測定制御機械器具，ＩＣカード，電子応用機械器具，火災報知器，盗難警報器，赤外線式人体検知装置，電動式扉自動開閉装置，画像処理装置，液晶表示装置」を指定商品として、平成１１年１０月２２日に設定登録されたものである。
　また、本件審判の請求の登録日は平成１４年１２月１１日である。
　　
第２　請求人の主張
　請求人は、本件指定商品中「電気通信機械器具の電気コネクタ及びその類似商品」を取り消すとの審決を求め、その理由及び答弁に対する弁駁を要旨次のように述べている。
１　請求の理由
　本件商標は、日本国内において指定商品中「電気通信機械器具の電気コネク夕及びその類似商品,電気通信機械器具の光コネク夕及びその類似商品」について現在に至るまで商標権者は本件商標を使用していない。また、通常使用権、専用使用権を許諾した事実もない。
　したがって、本件商標の指定商品中、取消請求に係る指定商品についての登録は、商標法５０条第１項の規定により取消されるべきである。
２　答弁に対する弁駁
（１）被請求人は、答弁書の中で「電気通信機械器具の電気コネクタ及びその類似商品，電気通信機械器具の光コネクタ及びその類似商品」が本件商標の指定商品中、どの商品に該当するものか不明確であるため、取消請求は成り立ち得ない。なお、請求人は対象の商品を明確に記述すべきと思料する。
　しかしながら、不使用取消審判においては、登録商標の指定商品中、取消しを必要とする商品の範囲を任意に指定して、取消を求めることができることは言うまでもない。また、その指定方法は、商品を包括的に指定するのか、具体的に指定するのかに制約されるものではないことは、不使用取消審判請求において、ごく自然に行なわれていることである。
　したがって、請求人による本件不使用取消審判請求において、取消しを必要とする商品を「電気通信機械器具の電気コネクタ及びその類似商品，電気通信機械器具の光コネクタ及びその類似商品」のように指定する方法は明確であり、取消請求は成り立ち得ないとする被請求人の主張は明らかに失当である。
（２）被請求人は、答弁書の中で「使用時期については、カタログ４頁の末尾２００２０９の文字が製作年月日２００２月９月を表すものであるから、本件審判請求後以前に使用されたことも明らかである。」と述べている。
　確かにカタログ４頁の末尾には２００２０９の文字が表示されている。しかしながら、”２００２０９”は単なる数字の羅列にすぎず、具体的に２００２年９月と表示されているわけではない。すなわち被請求人はカタログ４頁の末尾の文字 ”２００２０９”を当該カタログ製作年月日２００２月９月であると主張しているが、“２００２０９”をそのように解釈する理由に乏しいものと考える。
　例えば、特許・実用新案審査便覧(発明協会)の４２．０４Ａには刊行物の頒布された年（月・日）の取扱いについて詳細に記載されてる。これによれば、発行時期が記載されている場合として発行の年月日の記載がある場合にその年月日に刊行物が頒布されたものとして取り扱うこととしている。
　この取扱いを被請求人が提出する証拠方法である広告書類としてのカタログに当てはめると、当該カタログは、カタログ発行時期が記載されていない場合に分類されるので、当該カタログの頒布日は特定されないものと思料する。
　そうとすれば、被請求人が証拠方法として提出されたカタログについてのより具体的な発行時期を立証する証拠方法がない限り当該カタログの発行年月日は不明なものと考える。したがって、当該カタログが実際にいつごろから頒布されたものであるかが不明であり、もって、本件不使用取消審判請求登録前３年間不使用であるとして被請求人の商標登録は取消されるべきである。
　　
第３　被請求人の主張
　被請求人は、本件審判の請求は成り立たない、審判費用は請求人の負担とするとの審決を求めると答弁し、その理由を要旨次のように述べ、証拠方法として、乙第１号証を提出した。
１　答弁の理由
　被請求人が取消対象としている「電気通信機械器具の電気コネクタ及びその類似商品,電気通信機械器具の光コネクタ及びその類似商品」が本件商標の指定商品中、どの商品に該当するものか不明確であるため、取消請求は成り立ち得ないものと考える。
　なお、請求人は対象の商品を明確に記述すべきと思料する。
２　弁駁に対する答弁の理由
　被請求人は、添付カタログ（乙第１号証）に示されるように、本件商標を、請求人が取消対象としている「第９類　電気通信機械器具の電気コネクタ及びその類似商品,電気通信機械器具の光コネクタ及びその類似商品」に属する指定商品の一つ「遠隔測定制御機械器具」を本件審判請求日前３年以内に使用している。
　ここで、本件商標の具体的な使用方法を述べると、カタログ（乙第１号証)の２頁左に「山武独自に開発したμＦ（マイクロフロー ）センサを採用し、」とあるように、通常の文字としてカタログ内に使用している。
　また、カタログの表紙にあるように、製品に直接貼付した形としても使用している。本件商標はここに示した態様の、中核的な文字部分であると考えられるため、実質上同一の商標と考えられる。
　また、カタログの３頁左、仕様表の「通信機能」欄に「ＲＳ−４８５インタフェース、５線式。最大配線距離　３００ｍ　ｍａｘ　弊社機器（ＥＳＴ２４０Ｚ，ＣＭＣ１０Ｇ，ＷＥＢＩＯＯ）と接続用の通信　通信速度４８００/９６００ｂｐｓ　積算値、瞬時流量、警報状態の読み出しが可能です」とあること、同２頁右、「高性能を標準装備」部分に、ＲＳ−４８５ケーブルを通じて、ＣＭＬ本体と、上位機器との間で遠隔的に測定データを通信し、遠隔監視する構成が示されていることから、本件商標が「遠隔測定制御機械器具」に使用されているのは明らかである。
　なお、ＲＳ−４８５とは、コンピュータ機器を接続するシリアル通信方
式の１つで、高速、長距離のデータ送受信ができる一般的な方式である。
　最後に、使用の時期については、カタログ４頁の末尾　２００２０９の文字が制作年月２００２年９月を表すものであるから、本件審判請求以前に使用されていたことも明らかである。
　したがって、本件商標は、本件審判請求の登録前３年以内に日本国内において、「遠隔測定制御機械器具」ついて使用されているものである。
　　
第４　当審の判断      
（１）被請求人は、本件取消請求に係る商品「電気通信機械器具の電気コネクタ及びその類似商品，電気通信機械器具の光コネクタ及びその類似商品」が不明確である旨主張しているが、この点については以下のように判断するのが相当である。
　本件商標の指定商品中には、「電気通信機械器具」の表示はないものの、商標法施行規則別表第９類には、「十三　電気通信機械器具」の概念の下に「（二）有線通信機械器具」、「（四）放送用機械器具」、「（五）無線通信機械器具」及び「（七）遠隔測定制御機械器具」が例示されていることからすれば、本件商標の指定商品中の「有線通信機械器具」、「放送用機械器具」、「無線通信機械器具」及び「遠隔測定制御機械器具」が電気通信機械器具の一つであることは明らかである。また、本件取消請求に係る商品「電気通信機械器具の電気コネクタ及び電気通信機械器具の光コネクタ」は、電気通信機械器具に用いられる「電気コネクタ」及び「光コネクタ」と解される。
　しかして、「電気コネクタ」は、「コネクタ」が「連結用部品、連結用端子」 の意味を有する語（株式会社技術評論社発行「２００１−２００２年版最新機電・情報用語辞典」）であることからすれば、電気機器、すなわち電気通信機械器具に用いられる「コネクタ」と解するのが相当である。このことは、例えば、社団法人電子通信学会発行「電子通信ハンドブック」の「コネクタ」の項の「コネクタは単純なそう入抜去により一時に複数個の回路を接続、分離させるもので、複数個のコンタクトと、それらを配列保持する絶縁体と、そう入・抜去・結合などのための補助機構の３部分で構成される雄、雌一対の部品をいう。」との説明からも首肯し得るものである。また、「光コネクタ」は、株式会社コロナ社発行「改訂電子情報通信用語辞典」によれば、「光部品の一つ。光ファイバあるいは光ケーブルを繰返し着脱可能とするために、光ケーブルあるいは装置の一部に取り付けられる。」とされることから、電気通信機械器具に用いられるものというべきである。そうすると、「電気通信機械器具の電気コネクタ及び電気通信機械器具の光コネクタ」は、電気通信機械器具の部品又は附属品と解するのが相当である。そして、電気通信機械器具の一つである本件商標の指定商品中の「有線通信機械器具」、「放送用機械器具」、「無線通信機械器具」及び「遠隔測定制御機械器具」と電気通信機械器具の部品又は附属品とは、その構造、機能、用途等からして、互いに類似する商品といえる。
　してみれば、本件審判請求は、「電気通信機械器具の電気コネクタ及び電気通信機械器具の光コネクタ」の類似商品である「有線通信機械器具」、「放送用機械器具」、「無線通信機械器具」及び「遠隔測定制御機械器具」についても、登録の取消を求めているものと解さざるを得ないから、本件取消請求に係る商品は明確であるというべきである。　
（２）被請求人は、第９類「電気通信機械器具の電気コネクタ及びその類似商品，電気通信機械器具の光コネクタ及びその類似商品」に属する指定商品の一つ「遠隔測定制御機械器具」に使用しているとして乙第１号証を提出しているので、提出に係る乙第１号証について検討する。
　乙第１号証のカタログをみると、該カタログの表紙には、別掲のとおり、薄い青色で塗りつぶしたありふれた楕円形内に、「μＦ」の文字と図案化された「Ｓ」、さらに「ＭｉｃｒｏＦｌｏｗ」（小さく書してなる）の文字を白抜きで配してなる標章（以下、「使用商標」という）が表示されている。　そして、該カタログ２頁の「高機能を標準装備」の欄に「ＲＳ−４８５通信機能」の記載があり、その下に「上位機器との間で遠隔的に測定データを通信し、遠隔監視する構成図」が表示されている。さらに、該カタログの３頁左の「仕様表」の「通信機能」の欄に「ＲＳ−４８５インタフェース、５線式　最大配線距離　３００ｍ　ｍａｘ　弊社機器（ＥＳＴ２４０Ｚ，ＣＭＣ１０Ｇ，ＷＥＢＩＯＯ）と接続用の通信　通信速度４８００/９６００ｂｐｓ　積算値、瞬時流量、警報状態の読み出しが可能です」、同４頁には商標権者と認められる「株式会社　山武」の記載が認められる。
　そうとすれば、使用商品は、上位機器との間で遠隔的に測定データを通信し、遠隔監視する商品であることから、「遠隔測定制御機械器具」に使用しているものといえる。
　そして、「遠隔測定制御機械器具」は、上記認定のとおり、本件審判請求に係る指定商品に含まれるものと認められる。
　また、該カタログ４頁の末尾に「２００２０９」の数字の記載内容からみて、該カタログの作成日は、「２００２年９月」に作成されたものと認め得るものであるから、本件審判の請求の登録日前３年以内に作成されたものといえる。
（３）してみると、本件商標と使用商標とは、別掲のとおり、ともにありふれた楕円形内に、「μＦ」の文字と図案化された「Ｓ」の文字を白抜きで配した構成で表されていることから、その構成に一部異なるところがあるとしても、使用商標は、本件商標と社会通念上同一の商標といえる。
（４）請求人は、該カタログ４頁の末尾の”２００２０９”は、単なる数字の羅列にすぎず、具体的に２００２年９月と表示されているわけではないから、“２００２０９”を年月を表示したと解釈する理由に乏しい旨主張している。
　しかしながら、「２００２０９」の数字が年月を表示するものではないとする客観的な理由は認められないし、また、年月を西暦で六桁の数字で表示することは普通に行われていることから、該数字は、年月を六桁の数字で表示したものと理解するのが自然であるといえるので、請求人の主張は採用することができない。
（５）以上の事実及び被請求人の答弁の全趣旨によれば、本件商標は、本件審判請求の登録前３年以内に日本国内において、取消請求に係る指定商品に含まれる「遠隔測定制御機械器具」ついて、商標権者である「株式会社山武」によって使用されていたものといわざるを得ない。
　したがって、本件商標の登録は、商標法第５０条第１項の規定に基づき取り消すことはできない。
　よって、結論のとおり審決する。